(57)【要約】【課題】マトリックス表示パネルを駆動する駆動回路の中の異常のある駆動回路の特定を１回の画面表示で行うことができるようにし、修理時の手間の短縮化を図ることができるマトリックス表示装置を提供する。【解決手段】データスタート信号線８−２〜８−４のそれぞれに補助回路１０−１〜１０−３を介在させてソースドライバ部９を構成し、ソースドライバＩＣ５−１〜５−３のいずれか１個又は２個又は３個に異常があり、異常があるソースドライバＩＣからデータスタート信号が出力されない場合には、異常があるソースドライバＩＣからデータスタート信号が出力されるか否かを監視している補助回路から擬似データスタート信号を出力させる。【選択図】    図１
2004287301.tif 000002
【特許請求の範囲】
【請求項１】
マトリックス表示パネルと、初段の駆動回路に与えられる所定の制御信号を順に次段以降の駆動回路に転送するようにカスケード接続されて前記マトリックス表示パネルを駆動する複数の駆動回路を有するマトリックス表示装置であって、
各駆動回路間に介在し、前段の駆動回路が前記制御信号を出力する場合には、前記制御信号を後段の駆動回路に転送し、前段の駆動回路が前記制御信号を出力しない場合には、前記制御信号を擬似した擬似制御信号を後段の駆動回路に転送する補助回路を有することを特徴とするマトリックス表示装置。
【請求項２】
前記補助回路は、前記擬似制御信号を生成する擬似制御信号生成回路を有することを特徴とする請求項１記載のマトリックス表示装置。
【請求項３】
前記補助回路は、前記擬似制御信号を他の回路から与えられることを特徴とする請求項１記載のマトリックス表示装置。
【請求項４】
前記駆動回路は、前記マトリックス表示パネルのデータ線を駆動するソースドライバＩＣからなり、
前記制御信号は、前記ソースドライバＩＣにデータ信号の取り込みタイミングを与えるデータスタート信号であることを特徴とする請求項１記載のマトリックス表示装置。
【請求項５】
前記駆動回路は、前記マトリックス表示パネルのゲート線を駆動するゲートドライバＩＣからなり、
前記制御信号は、前記ゲートドライバＩＣに走査信号の出力タイミングを与える走査スタート信号であることを特徴とする請求項１記載のマトリックス表示装置。
【発明の詳細な説明】
【０００１】
【発明の属する技術分野】
本発明は、液晶表示装置などのように、画素をマトリックス状に配置してなるマトリックス表示装置に関する。
【０００２】
近年、デスクトップ型のパーソナルコンピュータにおいては、省エネルギー、省スペースの要求から、ＣＲＴ（陰極線管）に代わり、液晶表示装置を備える製品が市場を拡大しており、競合メーカでは、歩留まり向上によるコストダウンが求められている。
【０００３】
【従来の技術】
図８は従来の液晶表示装置の一例の要部の概略的構成図である（例えば、特許文献１参照）。図８中、１はアクティブマトリックス型の液晶表示パネル、２は液晶表示パネル１に形成されているデータ線（表示信号線）にデータ信号をＡ／Ｄ（アナログ／デシタル）変換して出力するソースドライバ部（データ線駆動回路部）である。
【０００４】
３は液晶表示パネル１に形成されているゲート線（走査信号線）に走査信号を出力するゲートドライバ部（ゲート線駆動回路部）、４は画像信号や同期信号等を入力して液晶表示パネル１に画像を表示するために必要な各種の信号を作成する信号制御部である。
【０００５】
図９はソースドライバ部２の概略的構成図である。図９中、５−１〜５−４は液晶表示パネル１に形成されているデータ線にデータ信号をＡ／Ｄ変換して出力するソースドライバＩＣ（ｉｎｔｅｇｒａｔｅｄ  ｃｉｒｃｕｉｔ）、６は信号制御部４が出力するデータ信号をソースドライバＩＣ５−１〜５−４に伝送するデータ信号線、７は信号制御部４が出力するクロック信号をソースドライバＩＣ５−１〜５−４に伝送するクロック信号線である。
【０００６】
８−１は信号制御部４が出力するデータスタート信号（データ信号の取り込みタイミングを与える信号）を１段目のソースドライバＩＣ５−１に伝送するデータスタート信号線、８−２は１段目のソースドライバＩＣ５−１が出力するデータスタート信号を２段目のソースドライバＩＣ５−２に伝送するデータスタート信号線である。
【０００７】
８−３は２段目のソースドライバＩＣ５−２が出力するデータスタート信号を３段目のソースドライバＩＣ５−３に伝送するデータスタート信号線、８−４は３段目のソースドライバＩＣ５−３が出力するデータスタート信号を４段目のソースドライバＩＣ５−４に伝送するデータスタート信号線である。
【０００８】
図１０はソースドライバＩＣ５−１〜５−４の動作を示すタイミングチャートであり、信号制御部４からソースドライバＩＣ５−１〜５−４に与えられるクロック信号、データスタート信号、データ信号を示している。
【０００９】
ソースドライバＩＣ５−１〜５−４は、データスタート信号が与えられると、データ信号線６を介して与えられるデータ信号の取り込みをクロック信号に同期させて開始し、規定数のデータ信号の取り込みが完了すると、ソースドライバＩＣ５−１〜５−３は、入力したデータスタート信号を出力する。
【００１０】
図１１はソースドライバ部２の動作を示すタイミングチャートであり、（Ａ）は信号制御部４から出力されるデータ信号、（Ｂ）は１段目のソースドライバＩＣ５−１に入力するデータスタート信号、（Ｃ）は２段目のソースドライバＩＣ５−２に入力するデータスタート信号、（Ｄ）は３段目のソースドライバＩＣ５−３に入力するデータスタート信号、（Ｅ）は４段目のソースドライバＩＣ５−４に入力するデータスタート信号を示している。
【００１１】
１段目のソースドライバＩＣ５−１は、信号制御部４からデータスタート信号が与えられると、信号制御部４から与えられるデータ信号の取り込みをクロック信号に同期させて開始し、規定数のデータ信号の取り込みが完了すると、入力したデータスタート信号をデータスタート信号線８−２に出力して２段目のソースドライバＩＣ５−２に与える。
【００１２】
２段目のソースドライバＩＣ５−２は、１段目のソースドライバＩＣ５−１からデータスタート信号が与えられると、信号制御部４から与えられるデータ信号の取り込みをクロック信号に同期させて開始し、規定数のデータ信号の取り込みが完了すると、入力したデータスタート信号をデータスタート信号線８−３に出力して３段目のソースドライバＩＣ５−３に与える。
【００１３】
３段目のソースドライバＩＣ５−３は、２段目のソースドライバＩＣ５−２からデータスタート信号が与えられると、信号制御部４から与えられるデータ信号の取り込みをクロック信号に同期させて開始し、規定数のデータ信号の取り込みが完了すると、入力したデータスタート信号をデータスタート信号線８−４に出力して４段目のソースドライバＩＣ５−４に与える。
【００１４】
４段目のソースドライバＩＣ５−４は、３段目のソースドライバＩＣ５−３からデータスタート信号が与えられると、信号制御部４から与えられるデータ信号の取り込みをクロック信号に同期させて開始し、規定数のデータ信号を取り込む。以上の動作が各水平ラインのデータ信号を取り込む際に行われる。
【００１５】
【特許文献１】特開２０００−１９４３１２号公報
【００１６】
【発明が解決しようとする課題】
図８に示す従来の液晶表示装置においては、１段目〜３段目のソースドライバＩＣ５−１〜５−３のいずれかに異常があり、異常があるソースドライバＩＣの内部においてデータスタート信号の転送が正常に行われず、異常があるソースドライバＩＣからデータスタート信号が出力されないと、異常があるソースドライバＩＣの次段以降のソースドライバＩＣにデータスタート信号が与えられないことになる。
【００１７】
この結果、異常のあるソースドライバＩＣに割り当てられているデータ線のみならず、異常のあるソースドライバＩＣの次段以降のソースドライバＩＣに割り当てられているデータ線も駆動されず、異常があるソースドライバＩＣに割り当てられている表示部分のみならず、異常があるソースドライバＩＣの次段以降のソースドライバＩＣに割り当てられている表示部分も表示がなされない状態となる。
【００１８】
例えば、１段目のソースドライバＩＣ５−１に異常があり、１段目のソースドライバＩＣ５−１の内部においてデータスタート信号の転送が正常に行われず、１段目のソースドライバＩＣ５−１からデータスタート信号が出力されないと、２段目以降のソースドライバＩＣ５−２〜５−４にデータスタート信号が与えられないことになる。
【００１９】
この結果、１段目のソースドライバＩＣ５−１に割り当てられているデータ線のみならず、２段目以降のソースドライバＩＣ５−２〜５−４に割り当てられているデータ線も駆動されず、１段目のソースドライバＩＣ５−１に割り当てられている表示部分のみならず、２段目以降のソースドライバＩＣ５−２〜５−４に割り当てられている表示部分も表示がなされない状態となる。
【００２０】
このような場合、修理時の対応として、異常のあるソースドライバＩＣは明確であるが、異常のあるソースドライバＩＣの次段以降のソースドライバＩＣに異常があるか否かを判断することができず、異常のあるソースドライバＩＣの特定を１回の画面表示で行うことができない。
【００２１】
そこで、このような場合には、異常が明確である表示異常初段のソースドライバＩＣを交換した後、再び画面表示を行い、その他のソースドライバＩＣについて異常の有無を確認する必要があり、この結果、異常があるソースドライバＩＣが確認されると、再びソースドライバＩＣの交換作業を行う必要があり、修理時の手間が増加してしまうという問題点があった。このような問題点は、ゲートドライバＩＣについても存在する。
【００２２】
本発明は、かかる点に鑑み、マトリックス表示パネルを駆動する駆動回路の中の異常がある駆動回路の特定を１回の画面表示で行うことができるようにし、修理時の手間の短縮化を図ることができるようにしたマトリックス表示装置を提供することを目的とする。
【００２３】
【課題を解決するための手段】
本発明は、マトリックス表示パネルと、初段の駆動回路に与えられる所定の制御信号を順に次段以降の駆動回路に転送するようにカスケード接続されて前記マトリックス表示パネルを駆動する複数の駆動回路を有するマトリックス表示装置であって、各駆動回路間に介在し、前段の駆動回路が前記制御信号を出力する場合には、前記制御信号を後段の駆動回路に転送し、前段の駆動回路が前記制御信号を出力しない場合には、前記制御信号を擬似した擬似制御信号を後段の駆動回路に転送する補助回路を有するというものである。
【００２４】
本発明によれば、複数の駆動回路のいずれかに異常があり、この異常がある駆動回路から所定の制御信号が出力されない場合、異常がある駆動回路に割り当てられている表示部分のみが表示不良となり、異常がある駆動回路の次段以降の正常な駆動回路に割り当てられている表示部分は表示不良とはならない。したがって、複数の駆動回路の中の異常がある駆動回路の特定を１回の画面表示で行うことができる。
【００２５】
【発明の実施の形態】
以下、図１〜図７を参照して、本発明の第１実施形態〜第３実施形態について、本発明を液晶表示装置に適用した場合を例にして説明する。なお、図１、図４、図６において、図８、図９に対応する部分には同一符号を付し、その重複説明は省略する。
【００２６】
（第１実施形態・・図１〜図３）
図１は本発明の第１実施形態の要部の概略的構成図である。本発明の第１実施形態は、図８に示す従来の液晶表示装置が備えるソースドライバ部２と回路構成の異なるソースドライバ部９を備え、その他については、図８に示す従来の液晶表示装置と同様に構成したものである。
【００２７】
ソースドライバ部９は、データスタート信号線８−２〜８−４のそれぞれに補助回路１０−１〜１０−３を介在させ、その他については、図８及び図９に示すソースドライバ部２と同様に構成したものである。
【００２８】
補助回路１０−１は、１段目のソースドライバＩＣ５−１からデータスタート信号が出力されるか否かを監視し、１段目のソースドライバＩＣ５−１からデータスタート信号が出力される場合には、１段目のソースドライバＩＣ５−１から出力されるデータスタート信号を２段目のソースドライバＩＣ５−２に転送し、１段目のソースドライバＩＣ５−１からデータスタート信号が出力されない場合には、自ら生成する擬似データスタート信号を２段目のソースドライバＩＣ５−２に転送するものである。
【００２９】
補助回路１０−２は、２段目のソースドライバＩＣ５−２からデータスタート信号が出力されるか否かを監視し、２段目のソースドライバＩＣ５−２からデータスタート信号が出力される場合には、２段目のソースドライバＩＣ５−２から出力されるデータスタート信号を３段目のソースドライバＩＣ５−３に転送し、２段目のソースドライバＩＣ５−２からデータスタート信号が出力されない場合には、自ら生成する擬似データスタート信号を３段目のソースドライバＩＣ５−３に転送するものである。
【００３０】
なお、本明細書では、信号制御部４から出力されて１段目〜４段目のソースドライバＩＣ５−１〜５−４を順に転送されるデータスタート信号のみならず、擬似データスタート信号も、ソースドライバＩＣから出力される場合には、データスタート信号と呼ぶことにする。
【００３１】
補助回路１０−３は、３段目のソースドライバＩＣ５−３からデータスタート信号が出力されるか否かを監視し、３段目のソースドライバＩＣ５−３からデータスタート信号が出力される場合には、３段目のソースドライバＩＣ５−３から出力されるデータスタート信号を４段目のソースドライバＩＣ５−４に転送し、３段目のソースドライバＩＣ５−３からデータスタート信号が出力されない場合には、自ら生成する擬似データスタート信号を４段目のソースドライバＩＣ５−４に転送するものである。
【００３２】
図２は補助回路１０−１〜１０−３の概略的構成図であり、補助回路１０−１〜１０−３は同一の回路構成とされている。図２中、１１はデータスタート信号が出力されるか否かを監視しているソースドライバＩＣからデータスタート信号が出力されるか否かを判定するためのカウンタであり、リセット信号入力端子ＲＥＳをデータスタート信号が出力されるか否かを監視しているソースドライバＩＣのデータスタート信号出力端子に接続され、被カウント信号入力端子ＩＮにクロック信号が与えられる。
【００３３】
カウンタ１１は、その出力Ｘを１ビット、初期状態をＬレベルとし、信号制御部４から供給されるクロック信号の立ち上がり数をカウントし、データスタート信号が非活性である期間（ソースドライバＩＣが正常である場合に、ソースドライバＩＣからデータスタート信号が出力されてから次のデータスタート信号が出力されるまでの期間）に入力されるクロック信号の数よりも多い、予め設定された値になると、出力ＸがＨレベルに立ち上がるようにされている。
【００３４】
１２はＪＫフリップフロップであり、Ｊ入力端子にカウンタ１１の出力Ｘが与えられ、Ｋ入力端子にデータスタート信号が与えられ、クロック入力端子にクロック信号が与えられる。この結果、クロック信号の立ち上がり時に、Ｊ入力端子がＨレベル、Ｋ入力端子がＬレベルの場合には、出力ＱはＨレベルとなる。また、クロック信号の立ち上がり時に、Ｊ入力端子がＬレベル、Ｋ入力端子がＨレベルの場合には、出力ＱはＬレベルとなる。また、クロック信号の立ち上がり時に、Ｊ入力端子がＬレベル、Ｋ入力端子がＬレベルの場合には、出力Ｑを変化させない。
【００３５】
１３は擬似データスタート信号を出力するカウンタであり、被カウント信号入力端子ＩＮにクロック信号が与えられ、イネーブル信号入力端子ＥＮにＪＫフリップフロップ１２の出力Ｑが与えられ、ＪＫフリップフロップ１２の出力ＱがＬレベルの場合には非活性状態とされ、ＪＫフリップフロップ１２の出力ＱがＨレベルの場合には活性状態とされ、クロック信号の立ち上がり数をカウントし、出力Ｘとしてデータスタート信号を擬似した擬似データスタート信号を出力する。
【００３６】
１４はセレクタであり、ＪＫフリップフロップ１２の出力Ｑを選択制御信号とし、ＪＫフリップフロップ１２の出力ＱがＬレベルの場合には、入力されるデータスタート信号を選択して出力し、ＪＫフリップフロップ１２の出力ＱがＨレベルの場合には、カウンタ１３から出力される擬似データスタート信号を選択して出力するものである。
【００３７】
このように構成された補助回路１０−１〜１０−３においては、データスタート信号が出力されるか否かを監視しているソースドライバＩＣからデータスタート信号が一定周期で出力される場合には、カウンタ１１は、一定周期でリセットされるので、その出力ＸはＬレベルを維持することになる。
【００３８】
そして、データスタート信号が入力されると、ＪＫフリップフロップ１２は、Ｋ入力端子をＨレベルとし、この状態で、クロック信号が立ち上がると、出力ＱはＬレベルとなり、その後、Ｋ入力端子はＬレベルとなり、出力ＱはＬレベルが維持される。したがって、データスタート信号が出力されるか否かを監視しているソースドライバＩＣからデータスタート信号が出力される場合には、セレクタ１４は、入力されたデータスタート信号を選択して出力することになる。
【００３９】
これに対して、データスタート信号が出力されるか否かを監視しているソースドライバＩＣからデータスタート信号が出力されない場合には、カウンタ１１はリセットされることはなく、カウント値は予め設定されたカウント値を超えることになるので、カウンタ１１の出力ＸはＨレベルとなる。
【００４０】
この結果、ＪＫフリップフロップ１２では、Ｊ入力端子はＨレベルになり、出力ＱはＨレベルを維持することになる。したがって、カウンタ１３は、イネーブル信号入力端子ＥＮがＨレベルとなるので、クロック信号の立ち上がり数をカウントし、擬似データスタート信号を出力し、セレクタ１４は、カウンタ１３が出力する擬似データスタート信号を選択して出力することになる。
【００４１】
図３はソースドライバ部９の動作を示すタイミングチャートである。（Ａ）は信号制御部４から出力されるデータ信号、（Ｂ）は１段目のソースドライバＩＣ５−１に入力するデータスタート信号、（Ｃ）は２段目のソースドライバＩＣ５−２に入力するデータスタート信号、（Ｄ）は３段目のソースドライバＩＣ５−３に入力するデータスタート信号、（Ｅ）は４段目のソースドライバＩＣ５−４に入力するデータスタート信号を示している。
【００４２】
本発明の第１実施形態においては、１段目のソースドライバＩＣ５−１は、信号制御部４からデータスタート信号が与えられると、何ら異常がない場合には、信号制御部４から与えられるデータ信号の取り込みをクロック信号に同期させて開始し、規定数のデータ信号の取り込みが完了すると、入力したデータスタート信号をデータスタート信号線８−２に出力し、補助回路１０−１は、１段目のソースドライバＩＣ５−１からデータスタート信号線８−２に出力されるデータスタート信号を入力して２段目のソースドライバＩＣ５−２に転送する。
【００４３】
２段目のソースドライバＩＣ５−２は、補助回路１０−１からデータスタート信号が与えられると、何ら異常がない場合、信号制御部４から与えられるデータ信号の取り込みをクロック信号に同期させて開始し、規定数のデータ信号の取り込みが完了すると、入力したデータスタート信号をデータスタート信号線８−３に出力し、補助回路１０−２は、２段目のソースドライバＩＣ５−２からデータスタート信号線８−３に出力されるデータスタート信号を入力して３段目のソースドライバＩＣ５−３に転送する。
【００４４】
３段目のソースドライバＩＣ５−３は、補助回路１０−２からデータスタート信号が与えられると、何ら異常がない場合、信号制御部４から与えられるデータ信号の取り込みをクロック信号に同期させて開始し、規定数のデータ信号の取り込みが完了すると、入力したデータスタート信号をデータスタート信号線８−４に出力し、補助回路１０−３は、３段目のソースドライバＩＣ５−３からデータスタート信号線８−４に出力されるデータスタート信号を入力して４段目のソースドライバＩＣ５−４に転送する。
【００４５】
４段目のソースドライバＩＣ５−４は、補助回路１０−３からデータスタート信号が与えられると、何ら異常がない場合、信号制御部４から与えられるデータ信号の取り込みをクロック信号に同期させて開始し、規定数のデータ信号を取り込む。以上の動作が各水平ラインのデータ信号を取り込む際に行われる。
【００４６】
ここで、ソースドライバＩＣ５−１〜５−３のいずれか１個又は２個又は３個に異常があり、異常があるソースドライバＩＣからデータスタート信号が出力されない場合には、異常があるソースドライバＩＣからデータスタート信号が出力されるか否かを監視している補助回路は、擬似データスタート信号を出力することになる。
【００４７】
この結果、データスタート信号を出力しないソースドライバＩＣに割り当てられている表示部分のみが表示不良となり、４個のソースドライバＩＣ５−１〜５−４の中の異常のあるソースドライバの特定を１回の画面表示で行うことができる。したがって、本発明の第１実施形態によれば、修理時の手間の短縮化を図ることができる。
【００４８】
（第２実施形態・・図４、図５）
図４は本発明の第２実施形態の要部の概略的構成図である。本発明の第２実施形態は、図８に示す従来の液晶表示装置が備えるソースドライバ部２と回路構成の異なるソースドライバ部１５を備え、その他については、図８に示す従来の液晶表示装置と同様に構成したものである。
【００４９】
ソースドライバ部１５は、データスタート信号線８−２〜８−４のそれぞれに補助回路１６−１〜１６−３を介在させ、その他については、図８及び図９に示すソースドライバ部２と同様に構成したものである。
【００５０】
補助回路１６−１は、１段目のソースドライバＩＣ５−１からデータスタート信号が出力されるか否かを監視し、１段目のソースドライバＩＣ５−１からデータスタート信号が出力される場合には、１段目のソースドライバＩＣ５−１から出力されるデータスタート信号を２段目のソースドライバＩＣ５−２に転送し、１段目のソースドライバＩＣ５−１からデータスタート信号が出力されない場合には、信号制御部４から出力されるデータスタート信号を擬似データスタート信号として２段目のソースドライバＩＣ５−２に転送するものである。
【００５１】
補助回路１６−２は、２段目のソースドライバＩＣ５−２からデータスタート信号が出力されるか否かを監視し、２段目のソースドライバＩＣ５−２からデータスタート信号が出力される場合には、２段目のソースドライバＩＣ５−２から出力されるデータスタート信号を３段目のソースドライバＩＣ５−３に転送し、２段目のソースドライバＩＣ５−２からデータスタート信号が出力されない場合には、１段目のソースドライバＩＣ５−１から出力されるデータスタート信号を擬似データスタート信号として３段目のソースドライバＩＣ５−３に転送するものである。
【００５２】
補助回路１６−３は、３段目のソースドライバＩＣ５−３からデータスタート信号が出力されるか否かを監視し、３段目のソースドライバＩＣ５−３からデータスタート信号が出力される場合には、３段目のソースドライバＩＣ５−３から出力されるデータスタート信号を４段目のソースドライバＩＣ５−４に転送し、３段目のソースドライバＩＣ５−３からデータスタート信号が出力されない場合には、２段目のソースドライバＩＣ５−２から出力されるデータスタート信号を擬似データスタート信号として４段目のソースドライバＩＣ５−４に転送するものである。
【００５３】
図５は補助回路１６−１〜１６−３の概略的構成図であり、補助回路１６−１〜１６−３は同一の回路構成とされている。図５中、１７はデータスタート信号が出力されるか否かを監視しているソースドライバＩＣからデータスタート信号が出力されるか否かを判定するためのカウンタであり、リセット信号入力端子ＲＥＳをデータスタート信号が出力されるか否かを監視しているソースドライバＩＣのデータスタート信号出力端子に接続され、被カウント信号入力端子ＩＮにクロック信号が与えられる。
【００５４】
カウンタ１７は、その出力Ｘを１ビット、初期状態をＬレベルとし、信号制御部４から供給されるクロック信号の立ち上がり数をカウントし、データスタート信号が非活性である期間（ソースドライバＩＣが正常である場合に、ソースドライバＩＣからデータスタート信号が出力されてから次のデータスタート信号が出力されるまでの期間）に入力されるクロック信号の数よりも多い、予め設定された値になると、出力ＸがＨレベルに立ち上がるようにされている。
【００５５】
１８はＪＫフリップフロップであり、Ｊ入力端子にカウンタ１７の出力Ｘが与えられ、Ｋ入力端子にデータスタート信号が与えられ、クロック入力端子にクロック信号が与えられる。この結果、クロック信号の立ち上がり時に、Ｊ入力端子がＨレベル、Ｋ入力端子がＬレベルの場合には、出力ＱはＨレベルとなる。また、クロック信号の立ち上がり時に、Ｊ入力端子がＬレベル、Ｋ入力端子がＨレベルの場合には、出力ＱはＬレベルとなる。また、クロック信号の立ち上がり時に、Ｊ入力端子がＬレベル、Ｋ入力端子がＬレベルの場合には、出力Ｑを変化させない。
【００５６】
１９はセレクタであり、ＪＫフリップフロップ１８の出力Ｑを選択制御信号とし、ＪＫフリップフロップ１８の出力ＱがＬレベルの場合には、入力されるデータスタート信号を選択して出力し、ＪＫフリップフロップ１８の出力ＱがＨレベルの場合には、入力される擬似データスタート信号を選択して出力するものである。
【００５７】
このように構成された補助回路１６−１〜１６−３においては、データスタート信号が出力されるか否かを監視しているソースドライバＩＣからデータスタート信号が一定周期で出力される場合には、カウンタ１７は、一定周期でリセットされ、その出力Ｘは、Ｌレベルを維持することになる。
【００５８】
そして、データスタート信号が入力されると、ＪＫフリップフロップ１８は、Ｋ入力端子をＨレベルとし、この状態で、クロック信号が立ち上がると、出力ＱはＬレベルとなり、その後、Ｋ入力端子はＬレベルとなり、出力ＱはＬレベルが維持され、セレクタ１９は、入力されたデータスタート信号を選択して出力することになる。
【００５９】
これに対して、データスタート信号が出力されるか否かを監視しているソースドライバＩＣからデータスタート信号が出力されない場合には、カウンタ１７はリセットされることはなく、カウント値は予め設定されたカウント値を超えることになるので、カウンタ１７の出力ＸはＨレベルとなる。この結果、ＪＫフリップフロップ１８では、Ｊ入力端子はＨレベルになり、出力ＱはＨレベルが維持され、セレクタ１９は、入力される擬似データスタート信号を選択して出力することになる。
【００６０】
したがって、本発明の第２実施形態によれば、ソースドライバＩＣ５−１〜５−３のいずれか１個又は２個又は３個に異常があり、異常があるソースドライバＩＣからデータスタート信号が出力されない場合、異常があるソースドライバＩＣからデータスタート信号が出力されるか否かを監視している補助回路は、擬似データスタート信号を出力することになる。
【００６１】
この結果、データスタート信号を出力しないソースドライバＩＣに割り当てられている表示部分のみが表示不良となり、４個のソースドライバＩＣ５−１〜５−４の中の異常のあるソースドライバの特定を１回の画面表示で行うことができる。したがって、修理時の手間の短縮化を図ることができる。
【００６２】
（第３実施形態・・図６、図７）
図６は本発明の第３実施形態の要部の概略的構成図であり、本発明の第３実施形態は、図８に示す従来の液晶表示装置が備えるソースドライバ部２と回路構成の異なるソースドライバ部２０を備え、その他については、図８に示す従来の液晶表示装置と同様に構成したものである。
【００６３】
ソースドライバ部２０は、データスタート信号線８−２〜８−４のそれぞれに補助回路２１−１〜２１−３を介在させると共に、信号制御部４から出力されるデータスタート信号を３経路に分岐するデータスタート信号分岐回路２２を設け、データスタート信号分岐回路２２から出力される３個のデータスタート信号をそれぞれデータスタート信号線２３−１〜２３−３を介して補助回路２１−１〜２１−３に転送するようにし、その他については、図８及び図９に示すソースドライバ部２と同様に構成したものである。
【００６４】
補助回路２１−１は、１段目のソースドライバＩＣ５−１からデータスタート信号が出力されるか否かを監視し、１段目のソースドライバＩＣ５−１からデータスタート信号が出力される場合には、１段目のソースドライバＩＣ５−１から出力されるデータスタート信号を２段目のソースドライバＩＣ５−２に転送し、１段目のソースドライバＩＣ５−１からデータスタート信号が出力されない場合には、データスタート信号分岐回路２２からデータスタート信号線２３−１に出力されるデータスタート信号を擬似データスタート信号として２段目のソースドライバＩＣ５−２に転送するものである。
【００６５】
補助回路２１−２は、２段目のソースドライバＩＣ５−２からデータスタート信号が出力されるか否かを監視し、２段目のソースドライバＩＣ５−２からデータスタート信号が出力される場合には、２段目のソースドライバＩＣ５−２から出力されるデータスタート信号を３段目のソースドライバＩＣ５−３に転送し、２段目のソースドライバＩＣ５−２からデータスタート信号が出力されない場合には、データスタート信号分岐回路２２からデータスタート信号線２３−２に出力されるデータスタート信号を擬似データスタート信号として３段目のソースドライバＩＣ５−３に転送するものである。
【００６６】
補助回路２１−３は、３段目のソースドライバＩＣ５−３からデータスタート信号が出力されるか否かを監視し、３段目のソースドライバＩＣ５−３からデータスタート信号が出力される場合には、３段目のソースドライバＩＣ５−３から出力されるデータスタート信号を４段目のソースドライバＩＣ５−４に転送し、３段目のソースドライバＩＣ５−３からデータスタート信号が出力されない場合には、データスタート信号分岐回路２２からデータスタート信号線２３−３に出力されるデータスタート信号を擬似データスタート信号として４段目のソースドライバＩＣ５−４に転送するものである。
【００６７】
図７は補助回路２１−１〜２１−３の概略的構成図であり、補助回路２１−１〜２１−３は同一の回路構成とされている。図７中、２４はデータスタート信号が出力されるか否かを監視しているソースドライバＩＣからデータスタート信号が出力されるか否かを判定するためのカウンタであり、リセット信号入力端子ＲＥＳをデータスタート信号が出力されるか否かを監視しているソースドライバＩＣのデータスタート信号出力端子に接続され、被カウント信号入力端子ＩＮにクロック信号が与えられる。
【００６８】
カウンタ２４は、その出力Ｘを１ビット、初期状態をＬレベルとし、信号制御部４から供給されるクロック信号の立ち上がり数をカウントし、データスタート信号が非活性である期間（ソースドライバＩＣが正常である場合に、ソースドライバＩＣからデータスタート信号が出力されてから次のデータスタート信号が出力されるまでの期間）に入力されるクロック信号の数よりも多い、予め設定された値になると、出力ＸがＨレベルに立ち上がるようにされている。
【００６９】
２５はＪＫフリップフロップであり、Ｊ入力端子にカウンタ２４の出力Ｘが与えられ、Ｋ入力端子にデータスタート信号が与えられ、クロック入力端子にクロック信号が与えられる。この結果、クロック信号の立ち上がり時に、Ｊ入力端子がＨレベル、Ｋ入力端子がＬレベルの場合には、出力ＱはＨレベルとなる。また、クロック信号の立ち上がり時に、Ｊ入力端子がＬレベル、Ｋ入力端子がＨレベルの場合には、出力ＱはＬレベルとなる。また、クロック信号の立ち上がり時に、Ｊ入力端子がＬレベル、Ｋ入力端子がＬレベルの場合には、出力Ｑを変化させない。
【００７０】
２６はセレクタであり、ＪＫフリップフロップ２５の出力Ｑを選択制御信号とし、ＪＫフリップフロップ２５の出力ＱがＬレベルの場合には、入力されるデータスタート信号を選択して出力し、ＪＫフリップフロップ２５の出力ＱがＨレベルの場合には、入力される擬似データスタート信号を選択して出力するものである。
【００７１】
このように構成された補助回路２１−１〜２１−３においては、データスタート信号が出力されるか否かを監視しているソースドライバＩＣからデータスタート信号が一定周期で出力される場合には、カウンタ２４は、一定周期でリセットされ、その出力Ｘは、Ｌレベルを維持することになる。
【００７２】
そして、データスタート信号が入力されると、ＪＫフリップフロップ２５は、Ｋ入力端子をＨレベルとし、この状態で、クロック信号が立ち上がると、出力ＱはＬレベルとなり、その後、Ｋ入力端子はＬレベルとなり、出力ＱはＬレベルが維持され、セレクタ２６は、入力されたデータスタート信号を選択して出力することになる。
【００７３】
これに対して、データスタート信号が出力されるか否かを監視しているソースドライバＩＣからデータスタート信号が出力されない場合には、カウンタ２４はリセットされることはなく、カウント値は予め設定されたカウント値を超えることになるので、カウンタ２４の出力ＸはＨレベルとなる。この結果、ＪＫフリップフロップ２５では、Ｊ入力端子はＨレベルになり、出力ＱはＨレベルが維持され、セレクタ２６は、入力される擬似データスタート信号を選択して出力することになる。
【００７４】
したがって、本発明の第３実施形態によれば、ソースドライバＩＣ５−１〜５−３のいずれか１個又は２個又は３個に異常があり、異常があるソースドライバＩＣからデータスタート信号が出力されない場合、異常があるソースドライバＩＣからデータスタート信号が出力されるか否かを監視している補助回路は、擬似データスタート信号を出力することになる。
【００７５】
この結果、データスタート信号を出力しないソースドライバＩＣに割り当てられている表示部分のみが表示不良となり、４個のソースドライバＩＣ５−１〜５−４の中の異常のあるソースドライバの特定を１回の画面表示で行うことができる。したがって、修理時の手間の短縮化を図ることができる。
【００７６】
なお、本発明の第１実施形態〜第３実施形態においては、補助回路を別置きにした場合について説明したが、補助回路は、ソースドライバＩＣ５−１〜５−４に搭載しても良いし、信号制御部４に含めるようにしても良い。更に、別置きの補助回路のほか、ソースドライバＩＣ５−１〜５−４に搭載した補助回路や、信号制御部４に含める補助回路を設け、通常使用する補助回路に破壊が発生した場合に、別の補助回路を使用できるように構成しても良い。
【００７７】
また、本発明の第１実施形態〜第３実施形態においては、ソースドライバＩＣ５−１〜５−４を順に転送される所定の制御信号としてデータスタート信号を取り上げ、データスタート信号に対応して補助回路を設けるようにした場合について説明したが、ソースドライバＩＣを順に転送される他の信号について補助回路を設けるようにしても良い。
【００７８】
また、本発明の第１実施形態〜第３実施形態においては、ソースドライバＩＣ５−１〜５−４に対応して補助回路を設けるようにした場合について説明したが、この代わりに、走査信号を出力してゲート線（走査信号線）を駆動するゲートドライバＩＣに対応して補助回路を設けるようにしても良いし、ソースドライバＩＣ５−１〜５−４及びゲートドライバＩＣのそれぞれに対応して補助回路を設けるようにしても良い。
【００７９】
なお、ゲートドライバＩＣに対応して補助回路を設ける場合には、補助回路は、ゲートドライバＩＣに走査信号の出力タイミングを与える走査スタート信号がゲートドライバＩＣから出力されるか否かを監視し、走査スタート信号が出力されない場合には、走査スタート信号を擬似した擬似走査スタート信号を出力するように構成する。
【００８０】
また、本発明の第１実施形態〜第３実施形態においては、本発明を液晶表示装置に適用した場合について説明したが、本発明は、プラズマ・ディスプレイ装置等のマトリックス表示装置にも適用することができる。
【００８１】
【発明の効果】
以上のように、本発明によれば、複数の駆動回路のいずれかに異常があり、この異常がある駆動回路から所定の制御信号が出力されない場合、異常のある駆動回路に割り当てられている表示部分のみが表示不良となり、異常のある駆動回路の次段以降の正常な駆動回路に割り当てられている表示部分は表示不良とはならないので、複数の駆動回路の中の異常のある駆動回路の特定を１回の画面表示で行うことができる。したがって、修理時の手間短縮化を図ることができる。
【図面の簡単な説明】
【図１】本発明の第１実施形態の要部の概略的構成図である。
【図２】本発明の第１実施形態が備えるソースドライバ部内の補助回路の概略的構成図である。
【図３】本発明の第１実施形態が備えるソースドライバ部の動作を示すタイミングチャートである。
【図４】本発明の第２実施形態の要部の概略的構成図である。
【図５】本発明の第２実施形態が備えるソースドライバ部内の補助回路の概略的構成図である。
【図６】本発明の第３実施形態の要部の概略的構成図である。
【図７】本発明の第３実施形態が備えるソースドライバ部内の補助回路の概略的構成図である。
【図８】従来の液晶表示装置の一例の要部の概略的構成図である。
【図９】図８に示す従来の液晶表示装置が備えるソースドライバ部の概略的構成図である。
【図１０】図８に示す従来の液晶表示装置が備えるソースドライバ部内のソースドライバＩＣの動作を示すタイミングチャートである。
【図１１】図８に示す従来の液晶表示装置が備えるソースドライバ部の動作を示すタイミングチャートである。
【符号の説明】
５−ｉ・・・ソースドライバＩＣ
１０−ｉ・・・補助回路
１６−ｉ・・・補助回路
２１−ｉ・・・補助回路
【図１】
2004287301.tif 000003
【図２】
2004287301.tif 000004
【図３】
2004287301.tif 000005
【図４】
2004287301.tif 000006
【図５】
2004287301.tif 000007
【図６】
2004287301.tif 000008
【図７】
2004287301.tif 000009
【図８】
2004287301.tif 000010
【図９】
2004287301.tif 000011
【図１０】
2004287301.tif 000012
【図１１】
2004287301.tif 000013